(57)【要約】  電動機駆動装置（１）は、電動機（３）の固定子巻線（３ｕ，３ｖ，３ｗ）の結線状態をデルタ結線状態およびスター結線状態のうちのいずれかに切り替える結線状態切替部（１４）と、電動機（３）を駆動するインバータ（１３）と、結線状態切替部（１４）の電源電圧であるリレー電圧（ＶＲ）を検知し、リレー電圧（ＶＲ）が閾値より低下したときは、インバータ（１３）を停止するリレー電圧検知回路（２１）とを備える。
2019171549.tif 000002
【特許請求の範囲】
【請求項１】
電動機の固定子巻線の結線状態を第１の結線状態および第２の結線状態のうちのいずれかに切り替える切替部と、
前記電動機を駆動するインバータ部と、
前記切替部の電源電圧である第１の電源電圧を検知し、前記第１の電源電圧が閾値より低下したときは、前記インバータ部を停止する電源電圧検知部とを備える
電動機駆動装置。
【請求項２】
前記切替部は、
前記第１の電源電圧が第１の値より小さいときに、前記第２の結線状態側に切り替え、
前記第１の電源電圧が第１の値より大きいときに、前記第１の結線状態側に切り替え、
前記閾値は、前記第１の値より大きい値である
請求項１に記載の電動機駆動装置。
【請求項３】
前記第１の結線状態は、デルタ結線状態であり、
前記第２の結線状態は、スター結線状態である
請求項１または２に記載の電動機駆動装置。
【請求項４】
前記固定子巻線が前記第１の結線状態にあるとき、前記インバータ部を流れる電流が第１の遮断値を越えると、前記インバータ部を停止し、
前記固定子巻線が前記第２の結線状態にあるとき、前記インバータ部を流れる電流が、第１の遮断値よりも小さな第２の遮断値を越えると、前記インバータ部を停止する過電流遮断部をさらに備える
請求項１から３のいずれか１項に記載の電動機駆動装置。
【請求項５】
交流電源から供給される交流電圧を直流電圧に変換して前記インバータ部の電源電圧を生成する第１の電圧変換部と、
前記インバータ部の前記電源電圧を電圧変換して前記第１の電源電圧を生成する第２の電圧変換部とをさらに備える
請求項１から４のいずれか１項に記載の電動機駆動装置。
【請求項６】
前記インバータ部は、
前記電動機に供給する電力を生成するインバータと、
外部からの停止信号を受信し、前記インバータを停止させる停止回路とを備える
請求項１から５のいずれか１項に記載の電動機駆動装置。
【請求項７】
請求項１から６のいずれか１項に記載の電動機駆動装置と、
前記電動機駆動装置によって駆動される電動機とを備える
空気調和機。
【発明の詳細な説明】
【技術分野】
【０００１】
本発明は、固定子巻線の結線状態を切り替え可能に構成された電動機を駆動する電動機駆動装置および空気調和機に関する。
【背景技術】
【０００２】
電動機の単位時間当たりの回転数の高い定格条件において、固定子巻線の結線状態としてのデルタ結線状態はスター結線状態に比べて電動機の逆起電力が小さいため、より高い回転数まで電動機を運転させることが可能である。一方、スター結線状態はデルタ結線状態に比べて電動機の逆起電力が大きいため、回転数をデルタ結線状態の場合ほど高くすることはできない。【０００３】
電動機の単位時間当たりの回転数が定格条件より低い中間条件において、デルタ結線状態はスター結線状態に比べて電動機に流れる電流が大きいため電力損失が大きい。一方、スター結線状態はデルタ結線状態に比べて電動機に流れる電流が小さいため電力損失が小さい。【０００４】
従来の固定子巻線の結線状態をスター結線状態とデルタ結線状態とで切り替え可能に構成された電動機を駆動する電動機駆動装置は、インバータと、結線状態の切り替え用のリレーとを備えている（たとえば、特許文献１参照）。従来の電動機駆動装置は、電動機の回転数が高い高負荷時においては、デルタ結線状態で電動機を運転し、電動機の回転数が高負荷時より低い低負荷時においては、スター結線状態で電動機を運転している。これにより、高負荷時において電動機を高い回転数で運転し、低負荷時においては電動機の電力損失が少ない効率的な運転を行っている。
【先行技術文献】
【特許文献】
【０００５】
【特許文献１】特開２００９−２１６３２４号公報
【発明の概要】
【発明が解決しようとする課題】
【０００６】
上述したように、高負荷時においては、デルタ結線状態で電動機の運転を行い、低負荷時においては、スター結線で電動機の運転を行っている。この場合、スター結線状態とデルタ結線状態とで電動機の磁石が減磁に至る可能性のある、電動機に流れる電流の値は異なるため、スター結線状態とデルタ結線状態とで異なる電流の値を用いて過電流を遮断する制御を行う必要がある。【０００７】
一般的には、スター結線状態の電動機の磁石が減磁に至る可能性のある、電動機に流れる電流の値の方が、デルタ結線状態の電動機の磁石が減磁に至る可能性のある、電動機に流れる電流の値よりも低いため、スター結線状態の過電流を遮断する制御に用いられる電流の値（以下、「スター結線状態の過電流遮断値」という）を、デルタ結線状態の過電流を遮断する制御に用いられる電流の値（以下、「デルタ結線状態の過電流遮断値」という）と比較して小さくする必要がある。【０００８】
インバータの電源、および結線状態の切り替え用のリレーの電源を共通の交流電源から生成するものとし、リレーがオンになると固定子巻線の結線状態がデルタ結線状態になり、リレーがオフになるとスター結線状態になる構成において、デルタ結線状態で交流電源の予期しない電圧低下などによりインバータの電源電圧が低下した場合、リレーの電源電圧も低下し、リレーのオンを維持、すなわちデルタ結線状態を維持できなくなる場合がある。この場合、リレーがオフとなり、スター結線状態に切り替わってしまった場合でも、インバータはデルタ結線状態で供給する電流と同様の電流を電動機に供給する。さらに、デルタ結線状態の過電流を遮断する制御、すなわちスター結線状態の過電流遮断値よりも大きい値のデルタ結線状態の過電流遮断値を用いた過電流を遮断する制御が行われている。このため、電動機に供給される電流の値がスター結線状態の過電流遮断値を超える可能性があり、電動機の磁石が減磁に至る可能性があるという問題があった。【０００９】
本発明は、上記に鑑みてなされたものであって、予期しない電圧低下などにより電源電圧が低下した場合においても、電動機の磁石が減磁に至らないようにすることができる電動機駆動装置を得ることを目的とする。
【課題を解決するための手段】
【００１０】
上述した課題を解決し、目的を達成するために、本発明にかかる電動機駆動装置は、電動機の固定子巻線の結線状態を第１の結線状態および第２の結線状態のうちのいずれかに切り替える切替部と、電動機を駆動するインバータ部と、切替部の電源電圧である第１の電源電圧を検知し、第１の電源電圧が閾値より低下したときは、インバータ部を停止する電源電圧検知部とを備える。
【発明の効果】
【００１１】
本発明にかかる電動機駆動装置は、予期しない電圧低下などにより電源電圧が低下した場合においても、電動機の磁石が減磁に至らないようにすることができるという効果を奏する。
【図面の簡単な説明】
【００１２】
【図１】本発明の実施の形態１にかかる電動機駆動装置の構成例を示す図
【図２】図１に示すリレー電圧検知回路の構成例を示す図
【図３】本発明の実施の形態１にかかる電動機駆動装置のデルタ結線状態を説明するための図
【図４】図１に示す電動機の磁石が減磁に至る流れを説明するための図
【図５】図１に示す電動機駆動装置が実行するリレー電圧の低下を検知してインバータを停止させる処理のフローチャート
【図６】図１に示す電動機の磁石が減磁に至らない流れを説明するための図
【図７】図１に示す電動機駆動装置における平滑コンデンサ電圧とリレー電圧とのタイムラグを説明するための図
【図８】本発明の実施の形態２にかかる空気調和機の構成を示す機能ブロック図
【発明を実施するための形態】
【００１３】
以下に、本発明の実施の形態にかかる電動機駆動装置および空気調和機を図面に基づいて詳細に説明する。なお、この実施の形態によりこの発明が限定されるものではない。
【００１４】
実施の形態１．
まず、本発明の実施の形態１にかかる電動機駆動装置について説明する。図１は、本発明の実施の形態１にかかる電動機駆動装置の構成例を示す図である。図１に示す、本実施の形態にかかる電動機駆動装置１は、交流電源２から供給される交流電力から電動機３を駆動するための電力を生成する。
【００１５】
図１に示す、本実施の形態にかかる電動機駆動装置１は、ＡＣ（Alternating  Current）／ＤＣ（Direct  Current）コンバータ１１と、平滑コンデンサ１２と、インバータ１３と、結線状態切替部１４と、ＤＣ／ＤＣコンバータ１９と、リレー駆動回路２０と、リレー電圧検知回路２１と、過電流遮断回路２２と、制御回路２３とを備える。ＡＣ／ＤＣコンバータ１１の入力側には交流電源２が接続され、インバータ１３の出力側には電動機３が接続される。電動機３は、回転子が永久磁石を備える永久磁石同期電動機であり、インバータ１３から３相交流電力の供給を受けて駆動される。
【００１６】
ＡＣ／ＤＣコンバータ１１は、交流電源２から供給される交流電力を直流電力に変換する。ＡＣ／ＤＣコンバータ１１は、第１の電圧変換部に対応する。平滑コンデンサ１２は、ＡＣ／ＤＣコンバータ１１から供給される直流電圧が一定の直流電圧（以下、「平滑コンデンサ電圧ＶＤＣ」という）になるようにする。平滑コンデンサ電圧ＶＤＣは、インバータ１３の電源電圧である。インバータ１３は、平滑コンデンサ電圧ＶＤＣをパルス幅変調により交流電圧に変換し、交流電圧を駆動対象の電動機３に印加する。インバータ１３は、インバータ１３を停止させる停止回路２４を備える。インバータ１３は、インバータ部に対応する。ここで、電動機３は、３個の固定子巻線３ｕ，３ｖ，３ｗの両端をともに開放状態とし、結線状態を変更可能に構成されている。
【００１７】
結線状態切替部１４は、リレー１５，１６，１７を備え、電動機３の固定子巻線３ｕ，３ｖ，３ｗの結線状態をスター結線状態とデルタ結線状態との間で切り替える。デルタ結線状態は、第１の結線状態に対応する。スター結線状態は、第２の結線状態に対応する。結線状態切替部１４は、切替部に対応する。リレー１５，１６，１７はＣ接点リレーであり、一方の端子が固定子巻線に接続され、他方の端子が第１の接点または第２の接点に接続する接点板と、接点板を動作させるためのコイルとを備える。リレー１５は、接点板２５、接点４５，５５およびコイル３５を備える。接点板２５は、コイル３５にある値以上の電流が流れていないときは第１の接点である接点４５に接続され、コイル３５にある値以上の電流が流れているときは第２の接点である接点５５に接続される。リレー１５のオフとは、接点板２５が接点４５に接続されている状態をいい、リレー１５のオンとは、接点板２５が接点５５に接続されている状態をいうものとする。リレー１６の構成およびリレー１７の構成はリレー１５の構成と同様であるため、説明については省略する。
【００１８】
電動機３の３個の固定子巻線３ｕ，３ｖ，３ｗの一方の端子はインバータ１３の３個の出力端子に、他方の端子は３個のリレー１５，１６，１７の接点板２５，２６，２７に、それぞれ接続される。接点４５，４６，４７は、それぞれ中性点端子１８に接続される。接点５５，５６，５７は、それぞれインバータ１３の３個の出力端子に接続される。中性点端子１８は、電動機３の固定子巻線３ｕ，３ｖ，３ｗがスター結線の場合の中性点である。接点板２５が接点４５に接続し、接点板２６が接点４６に接続し、かつ接点板２７が接点４７に接続している場合、電動機３の固定子巻線３ｕ，３ｖ，３ｗはスター結線となる。一方、接点板２５が接点５５に接続し、接点板２６が接点５６に接続し、かつ接点板２７が接点５７に接続している場合、電動機３の固定子巻線３ｕ，３ｖ，３ｗはデルタ結線となる。図１は、スター結線状態を示している。
【００１９】
ＤＣ／ＤＣコンバータ１９は、平滑コンデンサ電圧ＶＤＣを電圧変換して、電圧変換後の電圧（以下、「リレー電圧ＶＲ」という）をリレー１５，１６，１７が備えるコイル３５，３６，３７に印加する。リレー電圧ＶＲは、結線状態切替部１４の電源電圧であり、第１の電源電圧に対応する。ＤＣ／ＤＣコンバータ１９は、第２の電圧変換部に対応する。リレー駆動回路２０は、スイッチを備え、制御回路２３から受信したリレー駆動信号ＤＲに従って、スイッチの開閉動作を行う。リレー駆動回路２０のスイッチが閉じているときにリレー１５，１６，１７のコイル３５，３６，３７に電流が流れる。
【００２０】
リレー電圧検知回路２１は、ＤＣ／ＤＣコンバータ１９の出力側に接続される。リレー電圧検知回路２１は、リレー電圧ＶＲを検知し、リレー電圧ＶＲの値が、予め定められた閾値Ｃよりも低下したときに、インバータ１３を停止させるための停止信号Ｄ１を停止回路２４に送信する。閾値Ｃは、リレー１５，１６，１７のオンを維持することができなくなるリレー電圧ＶＲより少し大きな電圧値に設定される。リレー１５，１６，１７のオンを維持することができなくなるリレー電圧ＶＲの値は、第１の値に対応する。リレー電圧検知回路２１は、電源電圧検知部に対応する。図２は、図１に示すリレー電圧検知回路の構成例を示す図である。図２に示すリレー電圧検知回路２１は、抵抗１０１，１０２，１０３，１０４と、コンパレータ１０５とを備える。リレー電圧検知回路２１は、リレー電圧ＶＲを抵抗１０１と抵抗１０２で分圧し、分圧した電圧Ｖ１をコンパレータ１０５のマイナス端子に入力する。リレー電圧検知回路２１は、たとえばＤＣ／ＤＣコンバータ１９が生成したリレー電圧ＶＲとは別の電圧Ｖを抵抗１０３と抵抗１０４で分圧して基準電圧Ｖ２を生成し、生成した基準電圧Ｖ２をコンパレータ１０５のプラス端子に入力する。このように構成されたリレー電圧検知回路２１は、リレー電圧ＶＲの値が、閾値Ｃよりも低下したときに、停止信号Ｄ１としてのＨｉ信号を停止回路２４に送信する。
【００２１】
図１に戻り、過電流遮断回路２２は、ＡＣ／ＤＣコンバータ１１とインバータ１３との間の点Ｎから分岐されて接続される。過電流遮断回路２２は、インバータ１３に流れる電流Ｉ１に基づいて、電動機３の固定子巻線３ｕ，３ｖ，３ｗに過大な電流が流れている場合にこれを検知し、電動機３の固定子巻線３ｕ，３ｖ，３ｗに過大な電流が流れている状態を解消させる。過電流遮断回路２２は、電動機３を保護するために、電動機３の固定子巻線３ｕ，３ｖ，３ｗに予め定められた値を超える過大な電流が流れ続けて回転子を構成する永久磁石が減磁してしまうのを防止する。過電流遮断回路２２は、スター結線状態とデルタ結線状態とで異なる電流の値を用いて過電流を遮断する制御を行う。一般的には、スター結線状態の電動機３の磁石が減磁に至る可能性のある電流の値の方が、デルタ結線状態の電動機３の磁石が減磁に至る可能性のある電流の値よりも低いため、スター結線状態の過電流遮断値ＩＳ１を、デルタ結線時の過電流遮断値ＩＳ２と比較して小さくする。過電流遮断値ＩＳ２は、第１の遮断値に対応する。過電流遮断値ＩＳ１は、第２の遮断値に対応する。過電流遮断回路２２は、インバータ１３に流れる電流に基づいて、保持している過電流遮断値ＩＳ１または過電流遮断値ＩＳ２よりも大きな値の電流が流れていることを検知した場合には、インバータ１３を停止させるための停止信号Ｄ２を停止回路２４に送信する。
【００２２】
制御回路２３は、インバータ１３にインバータ駆動信号ＤＩを送信して、インバータ１３を構成している各スイッチング素子を制御する。制御回路２３は、固定子巻線３ｕ，３ｖ，３ｗの結線状態を切り替えるために、リレー駆動回路２０にリレー駆動信号ＤＲを送信して、リレー駆動回路２０のスイッチのオンオフを制御する。制御回路２３は、固定子巻線３ｕ，３ｖ，３ｗの結線状態に応じて、過電流遮断回路２２に過電流遮断値を切り替えるための遮断値切り替え信号ＤＳを送信して、過電流遮断回路２２が過電流を遮断する制御に用いている過電流遮断値の切り替えを制御する。
【００２３】
図３は、本発明の実施の形態１にかかる電動機駆動装置のデルタ結線状態を説明するための図である。図４は、図１に示す電動機の磁石が減磁に至る流れを説明するための図である。図３に示すデルタ結線状態において、交流電源２の電圧低下などにより平滑コンデンサ電圧ＶＤＣが低下した場合、リレー電圧ＶＲも低下し、コイル３５，３６，３７にある値以上の電流が流れなくなり、リレー１５，１６，１７のオンを維持、すなわちデルタ結線状態を維持できなくなる場合がある。この場合、リレー１５，１６，１７がオフとなり、スター結線状態に切り替わってしまった場合でも、インバータ１３はデルタ結線状態で供給する電流をそのまま電動機３に供給し、さらに過電流遮断回路２２ではデルタ結線状態の過電流遮断値ＩＳ２を用いた過電流を遮断する制御が行われている。制御回路２３が現在の結線状態を認識することができれば、制御回路２３から過電流遮断回路２２に過電流遮断値を切り替えるための遮断値切り替え信号ＤＳを送信することが可能であるが、交流電源２の予期しない電圧低下により、デルタ結線状態からスター結線状態に切り替わると、制御回路２３はその切り替わりを認識することはできない。その結果、過電流遮断回路２２はデルタ結線状態の過電流遮断値ＩＳ２を保持し続ける。このため、図４に示すように、電動機３に供給される電流Ｉ１の値がスター結線状態の過電流遮断値ＩＳ１を超える可能性があり、電動機３の磁石が減磁に至る可能性がある。
【００２４】
本実施の形態では、電動機駆動装置１が後述するように、リレー電圧の低下を検知してインバータを停止させる処理を実行することにより、予期しない電圧低下などにより電源電圧が低下した場合においても、電動機３の磁石が減磁に至らないようにすることができる。
【００２５】
図５は、図１に示す電動機駆動装置が実行するリレー電圧の低下を検知してインバータを停止させる処理のフローチャートである。図６は、図１に示す電動機の磁石が減磁に至らない流れを説明するための図である。
【００２６】
まず、制御回路２３は、電動機３をデルタ結線状態で運転することを決定する（ステップＳ１０１）。
【００２７】
次いで、制御回路２３は、過電流遮断回路２２が保持している過電流遮断値をデルタ結線状態の過電流遮断値ＩＳ２に切り替えるための遮断値切り替え信号ＤＳを過電流遮断回路２２に送信する（ステップＳ１０２）。ステップＳ１０２で送信された遮断値切り替え信号ＤＳを受信した過電流遮断回路２２は、過電流遮断値としてデルタ結線状態の過電流遮断値ＩＳ２を保持する。
【００２８】
次いで、制御回路２３は、固定子巻線３ｕ，３ｖ，３ｗの結線状態をデルタ結線状態に切り替えるためのリレー駆動信号ＤＲをリレー駆動回路２０に送信する（ステップＳ１０３）。ステップＳ１０３で送信されたリレー駆動信号ＤＲを受信したリレー駆動回路２０は、スイッチを閉じて、リレー１５，１６，１７のコイル３５，３６，３７を通電状態にし、リレー１５，１６，１７をオンにさせる。
【００２９】
次いで、制御回路２３は、インバータ駆動信号ＤＩをインバータ１３に送信する（ステップＳ１０４）。ステップＳ１０４で送信されたインバータ駆動信号ＤＩを受信したインバータ１３は、インバータ駆動信号ＤＩに従って、各スイッチング素子を制御する。
【００３０】
次いで、リレー電圧検知回路２１は、リレー電圧ＶＲを検知し（ステップＳ１０５）、リレー電圧ＶＲが、予め定められた閾値Ｃよりも低下したか否かを判別する（ステップＳ１０６）。
【００３１】
ステップＳ１０６での判別の結果、リレー電圧ＶＲが閾値Ｃよりも低下していないときは（ステップＳ１０６でＮｏ）、ステップＳ１０５の処理に戻る。
【００３２】
ステップＳ１０６での判別の結果、リレー電圧ＶＲが閾値Ｃよりも低下しているときは（ステップＳ１０６でＹｅｓ）、リレー電圧検知回路２１は、停止信号Ｄ１を停止回路２４に送信する（ステップＳ１０７）。ステップＳ１０７で送信された停止信号Ｄ１を受信した停止回路２４は、インバータ１３を停止させる（ステップＳ１０８）。
【００３３】
図５に示す処理によれば、図６に示すように、交流電源２の予期しない電圧低下などにより、デルタ結線状態からスター結線状態に切り替わる前に、インバータ１３が停止し、電動機３に電流が供給されないようになる。これにより、予期しない電圧低下などにより電源電圧が低下した場合においても、電動機３の磁石が減磁に至らないようにすることができる。
【００３４】
図７は、図１に示す電動機駆動装置における平滑コンデンサ電圧とリレー電圧とのタイムラグを説明するための図である。本実施の形態によれば、リレー電圧ＶＲを検知して、リレー電圧ＶＲが閾値Ｃよりも低下したか否かを判別して、インバータ１３を停止させている。リレー電圧ＶＲは、平滑コンデンサ電圧ＶＤＣをＤＣ／ＤＣコンバータ１９によって電圧変換して生成されたものである。図７に示すように、交流電源２の電圧低下などにより平滑コンデンサ電圧ＶＤＣが低下した場合に、リレー電圧ＶＲはＤＣ／ＤＣコンバータ１９を介しているためすぐに低下しない。すなわち、平滑コンデンサ電圧ＶＤＣの低下とリレー電圧ＶＲの低下との間にはタイムラグがあり、リレー電圧は平滑コンデンサ電圧と比較して、すぐには電圧が低くはならない。本実施の形態によれば、リレー電圧ＶＲを検知対象としているため、平滑コンデンサ電圧ＶＤＣを検知対象とし同一の閾値Ｃを用いる場合と比較して、交流電源２が瞬時電圧低下などによりすぐに復帰する場合に、無駄にインバータ１３を停止させずに済む可能性を高くすることができる。
【００３５】
実施の形態２．
上述した実施の形態１にかかる電動機駆動装置は、空気調和機の圧縮機またはファンを動作させる電動機に適用することが可能である。本実施の形態では、実施の形態１にて説明した電動機駆動装置を適用した空気調和機について説明する。
【００３６】
図８は、本発明の実施の形態２にかかる空気調和機の構成を示す機能ブロック図である。図８に示す空気調和機２００は、電動機駆動装置１ａ，１ｂと、電動機駆動装置１ａによって駆動される電動機３ａと、電動機３ａによって動作するファン２０１と、電動機駆動装置１ｂによって駆動される電動機３ｂと、電動機３ｂによって動作する圧縮機２０２とを備える。電動機駆動装置１ａ，１ｂは、実施の形態１における電動機駆動装置１と同様であり、電動機３ａ，３ｂは、実施の形態１における電動機３と同様である。
【００３７】
ファン２０１は、電動機３ａによって動作することで、空気調和機２００の被空調空間に対して送風を行う。圧縮機２０２は、電動機３ｂによって動作することで、図示しない冷媒回路の冷媒を循環させる。
【００３８】
図８には、電動機駆動装置１ａおよび電動機駆動装置１ｂを備える空気調和機２００を示しているが、本発明はこれに限定されるものではなく、空気調和機２００は電動機駆動装置１ａまたは電動機駆動装置１ｂのいずれか一方のみを備える構成であってもよい。
【００３９】
以上の実施の形態に示した構成は、本発明の内容の一例を示すものであり、別の公知の技術と組み合わせることも可能であるし、本発明の要旨を逸脱しない範囲で、構成の一部を省略および変更することも可能である。
【符号の説明】
【００４０】
１，１ａ，１ｂ  電動機駆動装置、２  交流電源、３，３ａ，３ｂ  電動機、３ｕ，３ｖ，３ｗ  固定子巻線、１１  ＡＣ／ＤＣコンバータ、１２  平滑コンデンサ、１３  インバータ、１４  結線状態切替部、１５，１６，１７  リレー、１８  中性点端子、１９  ＤＣ／ＤＣコンバータ、２０  リレー駆動回路、２１  リレー電圧検知回路、２２  過電流遮断回路、２３  制御回路、２４  停止回路、２５，２６，２７  接点板、３５，３６，３７  コイル、４５，４６，４７，５５，５６，５７  接点、１０１，１０２，１０３，１０４  抵抗、１０５  コンパレータ、２００  空気調和機、２０１  ファン、２０２  圧縮機。
【図１】
2019171549.tif 000003
【図２】
2019171549.tif 000004
【図３】
2019171549.tif 000005
【図４】
2019171549.tif 000006
【図５】
2019171549.tif 000007
【図６】
2019171549.tif 000008
【図７】
2019171549.tif 000009
【図８】
2019171549.tif 000010
【国際調査報告】
2019171549.tif 000011
2019171549.tif 000012